(57)【要約】  内視鏡システム１は、タッチパネル３７と、制御部３１とを有する。制御部３１は、タッチパネル３７に対して表示する複数のメッセージ情報を生成し、生成された複数のメッセージ情報のうち、プロセッサ３内部の異常に関するメッセージ情報と、異常に関するメッセージ情報以外のメッセージ情報とを識別する。そして、制御部３１は、識別されたメッセージ情報を選択的に一覧表示する。
2017073404.tif 000002
【特許請求の範囲】
【請求項１】
表示部と、
前記表示部に対して表示する複数のメッセージ情報を生成するメッセージ生成部と、
前記メッセージ生成部により生成された前記複数のメッセージ情報のうち、装置内部の異常に関するメッセージ情報と、当該異常に関するメッセージ情報以外のメッセージ情報とを識別する識別部と、
前記識別部により識別されたメッセージ情報を選択的に一覧表示する表示制御部と、を備えたことを特徴とする内視鏡システム。
【請求項２】
前記表示制御部は、前記メッセージ生成部により生成された前記複数のメッセージ情報を一覧表示したメッセージリスト情報と、前記メッセージリスト情報から選択されたメッセージ情報とを切り替えて前記表示部に表示することを特徴とする請求項１に記載の内視鏡システム。
【請求項３】
前記表示部に表示された前記メッセージ情報を前記表示部から消去するためのメッセージ情報消去部を更に備え、
前記表示制御部は、前記メッセージ情報消去部により前記メッセージ情報が消去されると、前記メッセージリスト情報を前記表示部に表示することを特徴とする請求項２に記載の内視鏡システム。
【請求項４】
前記表示制御部は、ログイン権限に応じて、一覧表示する前記複数のメッセージ情報を変更することを特徴とする請求項１に記載の内視鏡システム。
【請求項５】
前記表示制御部は、ユーザーによる操作に応じて出力された操作信号に応じて、前記識別部により識別されたメッセージ情報を選択的に一覧表示することを特徴とする請求項１に記載の内視鏡システム。
【請求項６】
前記装置は、被検体内を撮像する内視鏡が着脱自在に接続されるものであり、
前記識別部は、前記装置内部の異常に加え、前記接続された内視鏡の異常に関するメッセージを識別することを特徴とする請求項１に記載の内視鏡システム。
【請求項７】
前記メッセージリスト情報をファイル化し、外部記憶装置へ出力するメッセージリスト出力部を更に備えたことを特徴とする請求項１に記載の内視鏡システム。
【発明の詳細な説明】
【技術分野】
【０００１】
本発明は、メッセージ表示機能を備えた内視鏡システムに関するものである。
【背景技術】
【０００２】
従来、被検体の内部の被写体を撮像する内視鏡と、内視鏡により撮像された被写体の観察画像を生成するビデオプロセッサと、ビデオプロセッサにより生成された観察画像を表示するモニタとを備えた内視鏡システムが、医療分野及び工業分野等において広く用いられている。【０００３】
近年、内視鏡システムのビデオプロセッサには、各種設定等の操作や各種メッセージを表示するためのタッチパネルが設けられている。ユーザーは、タッチパネル上の操作アイテム（操作ボタン）をタッチすることで、各種設定の変更操作等を行うことができる。また、ユーザーは、タッチパネル上の表示されたメッセージを確認することで、設定状態やエラーメッセージの内容を確認することができる。【０００４】
このような内視鏡システムは、タッチパネルに複数のメッセージを表示する場合、重畳表示するため、以前に表示されていたメッセージの内容が分からなくなる。また、このような内視鏡システムは、一度消去したメッセージを再表示することができない。【０００５】
そこで、日本国特開２０１４−１７２３６９号公報には、リモートメンテナンスサーバーから送信されたメッセージを閲覧したユーザーが表示解除操作を行った後でも、そのメッセージを再度閲覧できるようにした電子機器が提案されている。【０００６】
しかしながら、日本国特開２０１４−１７２３６９号公報の電子機器は、表示するメッセージをメッセージの種類等によって切り分けて表示することができない。内視鏡システムは、例えば、装置本体の異常に関するメッセージと、異常に関するメッセージ以外のメッセージとが存在し、状況によっては、異常に関するメッセージのみ、異常に関するメッセージ以外のメッセージのみ、あるいは、これらのメッセージの両方を表示したい場合がある。【０００７】
そこで、本発明は、メッセージの種類に応じて、メッセージ情報を表示部に適切に一覧表示することができる内視鏡システムを提供することを目的とする。
【発明の開示】
【課題を解決するための手段】
【０００８】
本発明の一態様の内視鏡システムは、表示部と、前記表示部に対して表示する複数のメッセージ情報を生成するメッセージ生成部と、前記メッセージ生成部により生成された前記複数のメッセージ情報のうち、装置内部の異常に関するメッセージ情報と、当該異常に関するメッセージ情報以外のメッセージ情報とを識別する識別部と、前記識別部により識別されたメッセージ情報を選択的に一覧表示する表示制御部と、を備える。
【図面の簡単な説明】
【０００９】
【図１】本発明の第１の実施形態にかかる内視鏡システムの概略構成を示す斜視図である。
【図２】第１の実施形態にかかる内視鏡システムの要部の機能構成を示すブロック図である。
【図３】第１の実施形態にかかる内視鏡システムのビデオプロセッサにおけるタッチパネルの一表示例を示した図である。
【図４】タッチパネルにおける状態表示部領域を示した図である。
【図５】タッチパネルにおける機能分類切り替え表示部領域を示した図である。
【図６】タッチパネルにおける機能操作部領域を示した図である。
【図７】タッチパネルに展開されるメッセージ表示履歴画面の第１例を示した図である。
【図８】タッチパネルに展開されるメッセージ表示履歴画面の第２例を示した図である。
【図９】タッチパネルに展開されるメッセージ表示履歴画面の第３例を示した図である。
【図１０】メッセージの詳細画面の一例を示した図である。
【図１１】ユーザー権限、サービス権限で表示可能なメッセージの一例を示した図である。
【図１２】ユーザー権限、サービス権限で表示されるメッセージ表示履歴画面の一例を示した図である。
【図１３】メッセージの履歴のリスト情報の出力する一例を示した図である。
【図１４】メッセージ表示履歴画面でのメッセージ履歴表示領域の一例を示す図である。
【図１５】画像閲覧画面における画像消去の一例を示す図である。
【図１６】画像閲覧画面における画像転送の一例を示す図である。
【図１７Ａ】ボタンサイズの拡大処理の一例を示す図である。
【図１７Ｂ】ボタンサイズの拡大処理の一例を示す図である。
【図１８Ａ】ボタンサイズの拡大処理の一例を示す図である。
【図１８Ｂ】ボタンサイズの拡大処理の一例を示す図である。
【図１９】画像閲覧画面における検査フォルダの表示順を変更する処理の一例を示す図である。
【図２０】観察モニタにおいて故障を報知する画面の一例を示す図である。
【図２１】タッチパネルにおいて故障を報知する画面の一例を示す図である。
【図２２Ａ】タッチパネルに展開される画像閲覧画面の一例を示す図である。
【図２２Ｂ】観察モニタ４にＳＤ画像を再生した一例を示す図である。
【図２２Ｃ】観察モニタ４にＨＤ画像を再生した一例を示す図である。
【図２３Ａ】観察モニタに表示される患者情報の一例を示す図である。
【図２３Ｂ】観察モニタに表示される患者情報の一例を示す図である。
【図２４】観察モニタにおける通常の画面レイアウトの一例を示す図である。
【図２５】観察モニタにおける従来の画面レイアウトの一例を示す図である。
【図２６】患者情報画面における患者情報の削除及び追加処理の一例を示す図である。
【図２７】ユーザー設定画面におけるユーザー設定の削除の一例を示す図である。
【図２８】ユーザー設定画面におけるユーザー設定の新規登録の一例を示す図である。
【図２９】画像の記録枚数と転送枚数の表示の一例を示す図である。
【図３０】ユーザー設定のレリーズ対象機器の一例を示す図である。
【図３１】接続機器設定不一致画面の一例を示す図である。
【図３２】システム設定画面における接続機器の設定の一例を示す図である。
【図３３】システム設定画面における画像記録の設定の一例を示す図である。
【図３４】静止画像保存設定不一致画面の一例を示す図である。
【図３５】レリーズ設定処理時のユーザー報知の一例を示すフローチャートである。
【図３６】画像転送の設定画面の一例を示す図である。
【図３７Ａ】白キズ補正処理中の白キズ補正処理画面の一例を示す図である。
【図３７Ｂ】白キズ補正処理中の白キズ補正処理画面の一例を示す図である。
【図３７Ｃ】白キズ補正処理中の白キズ補正処理画面の一例を示す図である。
【図３７Ｄ】白キズ補正処理中の白キズ補正処理画面の一例を示す図である。
【図３８】ソフトウェアキーボードにおけるパスワード入力時の表示画面の一例を示す図である。
【図３９】ソフトウェアキーボードにおけるパスワード入力時の表示画面の一例を示す図である。
【図４０】ソフトウェアキーボードにおけるパスワード入力時の表示画面の一例を示す図である。
【図４１】ウィザード形式で設定を行う際のウィザード画面の一例を示す図である。
【図４２】ウィザード形式で設定を行う際の言語／日時設定画面の一例を示す図である。
【図４３】ウィザード形式で設定を行う際の設定確認画面の一例を示す図である。
【図４４】ユーザー設定登録方法の選択画面の一例を示す図である。
【図４５】明るさの設定について説明するための図である。
【図４６】明るさの設定の上限時にユーザー報知を行う場合について説明するための図である。
【図４７】明るさの設定の下限時にユーザー報知を行う場合について説明するための図である。
【発明を実施するための最良の形態】
【００１０】
以下、図面を参照して本発明の実施形態を説明する。【００１１】
また、この実施の形態により、この発明が限定されるものではない。さらに、図面の記載において、同一部分には同一の符号を付している。さらにまた、図面は、模式的なものであり、現実と異なることに留意する必要がある。また、図面の相互間においても、互いの寸法や比率が異なる部分が含まれている。【００１２】
＜第１の実施形態＞
図１は、本発明の第１の実施形態にかかる内視鏡システムの概略構成を示す斜視図であり、図２は、第１の実施形態にかかる内視鏡システムの要部の機能構成を示すブロック図である。【００１３】
図１に示すように、内視鏡システム１は、被検体の体腔内管腔に先端部を挿入することによって被写体の体内画像を撮像し当該被写体像の画像信号を出力する内視鏡２と、内視鏡２から出力される画像信号に対して所定の画像処理を施すとともに内視鏡２の先端から出射するための照明光を発生する光源機能を備え、さらに内視鏡システム１全体の動作を統括的に制御するビデオプロセッサ３と、ビデオプロセッサ３において画像処理が施された画像を表示する観察モニタ４と、ビデオプロセッサ３に接続され操作指示または文字情報等の入力を行うためのキーボード５と、を主に有して構成される。【００１４】
キーボード５は、引き出し可能な台座６に設けられている。ユーザーは、キーボード５を使用する場合、台座６を医療用トロリーから引き出して、文字入力等を行い、キーボード５を使用しない場合、台座６を医療用トロリーに収納することができる。この医療用トロリーには、内視鏡２、ビデオプロセッサ３、観察モニタ４及びキーボード５に加え、例えば、プリンタや送水装置等の周辺機器が積載されていてもよい。【００１５】
なお、本実施形態の内視鏡システム１は、ビデオプロセッサ３が上述した光源機能を備えるものとしたが、これに限らず、当該光源機能を有する光源装置をビデオプロセッサ３に対して別体の構成としてもよい。また、本実施形態では、内視鏡システム１としてとして同時式を採用する構成を例に説明するが、本発明は面順次であっても適用することができる。【００１６】
内視鏡２は、可撓性を有する細長形状をなす挿入部１６と、当該挿入部１６の先端部に設けられ、被検体を撮像する撮像素子１１と、挿入部先端へ照明光を導くライトガイド１２と、内視鏡２の操作を行う操作部に設けられた操作スイッチ１３と、ビデオプロセッサ３における光源コネクタ２３と接続するためのコネクタ部１４と、当該コネクタ部１４から延設され、当該ビデオプロセッサ３におけるコネクタ３２と接続するための電気コネクタ１５と、を有している。【００１７】
なお、内視鏡２は、外科手術に用いられるいわゆる硬性内視鏡であってもよい。また、撮像素子１１は、本実施形態においては、ＣＭＯＳ（Complementary Metal Oxide Semiconductor）イメージセンサを採用するが、ＣＣＤイメージセンサであってもよい。さらに撮像素子１１は、本実施形態においては挿入部先端部に設けられているが、これに限定されるものではなく、例えば、操作スイッチ１３が設けられている操作部内に設けられ、挿入部先端部から操作部内の撮像素子１１までイメージガイドファイバで光学像を伝送する構成であってもよい。【００１８】
また、本実施形態では、ビデオプロセッサ３は、内視鏡２が接続される構成になっているが、これに限定されることなく、体腔内に挿入される光学式内視鏡（ファイバースコープあるいは外科手術用の光学視管）の接眼部に装着されるカメラヘッドが接続される構成であってもよい。【００１９】
さらに、本実施形態では、内視鏡２及びビデオプロセッサ３は、電気コネクタ１５及びコネクタ３２により接続され、電気信号を有線で伝送する構成になっているが、これに限定されることなく、電気信号を無線で伝送する構成であってもよい。【００２０】
信号処理装置としてのビデオプロセッサ３は、内視鏡２の電気コネクタ１５と接続されるコネクタ３２と、内視鏡システム１全体の動作を統括的に制御する制御部３１と、制御部３１に接続され各種情報を記憶するメモリ３５と、コネクタ３２を介して入力した撮像素子１１からの撮像信号に対して所定の信号処理を施す映像処理部３３と、観察モニタ４に表示する文字情報における文字サイズの変更等を行う表示コントローラ３６と、映像処理部３３から出力される映像信号に表示コントローラ３６からの文字情報を重畳する重畳回路３４と、各種操作及び設定を行うためのタッチパネル３７と、少なくともビデオプロセッサ３内における各回路部を稼動させる電力を供給するための電源部３９と、を有して構成されている。【００２１】
制御部３１は、内視鏡システム１全体の動作を統括的に制御するＣＰＵであり、ビデオプロセッサ３に接続される内視鏡２における撮像素子１１の制御の他、当該ビデオプロセッサ３が初期状態となったことを検出する。また、制御部３１は、ビデオプロセッサ３が初期状態となったことを検出した際に、表示部である前記タッチパネル３７に初期画面を表示させる。【００２２】
電源部３９は、ビデオプロセッサ３内における上述した各回路部等の電子デバイスの他、当該ビデオプロセッサ３に接続される内視鏡２における各回路部等の電子デバイスを稼動させる電力を供給するための電源としての機能を果たす。【００２３】
映像処理部３３は、撮像素子１１からの映像信号に対して所定の画像処理、すなわち、ノイズリダクション処理、ホワイトバランス処理、色補正等の処理を施し、得られた映像信号を重畳回路３４に向けて出力する。【００２４】
メモリ３５は、半導体メモリを用いて実現され、ビデオプロセッサ３および内視鏡２を含む内視鏡システム１を動作させるための各種プログラム、および内視鏡システム１の動作に必要な各種パラメータセット等を含むデータを記憶する。【００２５】
なお、パラメータセットとは、本実施形態においてはユーザーごとに設定される、例えば画像処理に係る各種パラメータ等の組み合わせである。そしてメモリ３５は、複数のユーザーアカウント分記憶可能な記憶領域としての役目を果たす（詳しくは後述する）。【００２６】
表示コントローラ３６は、制御部３１の制御下に、観察モニタ４にいわゆるＯＳＤ（On-screen display）として表示する所定の文字情報を重畳回路３４に出力する。このとき、表示コントローラ３６は、制御部３１の制御に基づいて、文字情報のサイズを変更して重畳回路３４に出力する。【００２７】
たとえば、ユーザーが内視鏡２の操作スイッチ１３を操作（押下）すると、操作信号が制御部３１に供給される。制御部３１は、この操作信号が入力されると、文字情報のサイズを変更するように表示コントローラ３６を制御する。【００２８】
画像生成部としての重畳回路３４は、映像処理部３３からの映像信号（内視鏡画像）に表示コントローラ３６からの文字情報を重畳した内視鏡検査画像を生成し、観察モニタ４に出力する。これにより、観察モニタ４には所定の内視鏡検査画像が表示される。【００２９】
本実施形態においては、ビデオプロセッサ３は、内視鏡２の先端から出射するための照明光を発生する光源機能を備える。すなわち、ビデオプロセッサ３は、照明光を生成する光源２１と、制御部３１に制御され、光源２１を駆動する光源ドライバ３８と、光源２１からの照明光をライトガイド１２の入射端面に集光させる集光レンズ２２と、を有する。【００３０】
光源２１は、白色ＬＥＤ（Light  Emitting  Diode）またはキセノンランプ等を用いて構成され、光源ドライバ３８に駆動制御のもと、白色光を発生する。【００３１】
光源ドライバ３８は、光源２１に対して電流を供給することにより、光源２１に白色光を発生させる。光源２１が発生した光は、集光レンズ２２およびライトガイド１２を経由して内視鏡２の挿入部先端部の先端から照射される。【００３２】
観察モニタ４は、映像ケーブルを介してビデオプロセッサ３が生成した体内画像をビデオプロセッサ３から受信して表示する機能を有し、液晶または有機ＥＬ（Electro Luminescence ）等を用いて構成される。【００３３】
キーボード５は、ビデオプロセッサ３に接続され、所定の操作指示または文字情報等の入力を行う機能を有する。【００３４】
＜タッチパネルにおけるメニュー画面についての説明＞
図３は、第１の実施形態にかかる内視鏡システムのビデオプロセッサにおけるタッチパネルの一表示例を示した図である。また、図４は、当該タッチパネルにおける状態表示部領域を、図５は、同タッチパネルにおける機能分類切り替え表示部領域を、図６は、同タッチパネルにおける機能操作部領域を、それぞれ示した図である。【００３５】
上述したようにビデオプロセッサ３は、筐体装置本体の前面にタッチパネル３７を配設する。このタッチパネル３７は、液晶パネルによる表示部とタッチパッドによる位置情報入力部とにより構成され、後述するような制御部３１の制御下に各種操作および設定を行うようになっている。【００３６】
なお、タッチパネル３７は、本実施形態においてはいわゆる静電容量方式を採用するものとするが、これに限らず、いわゆる抵抗膜方式により構成されてもよい。また、タッチパネル３７は、プロセッサ３に設けられているが、これに限らず、例えばタブレットのように、プロセッサ３から取り外せる構成であってもよい。【００３７】
図４、図５、図６に示すように、タッチパネル３７の表示画面は、状態表示部領域５１と、機能分類切替表示部領域５２と、機能操作部領域５３と、ホームボタン５４、画像閲覧ボタン５５、設定ボタン５６と、を配設する。【００３８】
図４に示すように、状態表示部領域５１は、現在表示されている画面名、または、当該ビデオプロセッサ３の状態がアイコン等により表示される領域である。図４においては、現在表示されている画面が「メイン」画面であることを示している。【００３９】
図５に示すように、機能分類切替表示部領域５２は、種々の操作機能を切り替えて表示するための複数のボタンを分類して表示する領域であり、本実施形態においては、メインボタン６１、観察・記録ボタン６２、色・明るさボタン６３、文字・表示ボタン６４、準備・完了ボタン６５が配置されている。【００４０】
メインボタン６１は、押下操作（タッチ操作）することより、「メイン」画面を表示するものである。このメイン画面は、種々の機能のうち、使用頻度の高い機能を分類して表示する画面である。【００４１】
観察・記録ボタン６２は、押下操作（タッチ操作）することより、「観察・記録」画面を表示するものである。この観察・記録画面は、種々の機能のうち、観察・記録に関する機能を分類して表示する画面である。【００４２】
色・明るさボタン６３は、押下操作（タッチ操作）することより、「色・明るさ」画面を表示するものである。この色・明るさ画面は、種々の機能のうち、色・明るさに関する機能を分類して表示する画面である。【００４３】
文字・表示ボタン６４は、押下操作（タッチ操作）することより、「文字・表示」画面を表示するものである。この文字・表示画面は、種々の機能のうち、観察モニタ４に表示する文字情報、または、ビデオプロセッサ３に接続されるカメラヘッドの情報に関する機能を分類して表示する画面である。【００４４】
準備・完了ボタン６５は、押下操作（タッチ操作）することより、「準備・完了」画面を表示するものである。この準備・完了画面は、種々の機能のうち、準備または検査終了の際に使用する機能を分類して表示する画面である。【００４５】
図６に示すように、機能操作部領域５３は、各種の機能を操作するためのボタン（機能操作ボタン）等を表示する画面であり、これら各種の機能操作ボタン群は、機能分類切替表示部領域５２における各ボタンの押下操作（タッチ操作）等により切り替わるようになっている。【００４６】
なお、当該ビデオプロセッサ３が初期状態（例えば、電源投入直後）となったことを前記制御部３１が検出した際に、制御部３１の制御により当該タッチパネル３７には初期画面が表示される。図６は、その初期画面の一例を示したものである。【００４７】
本実施形態においては、図６に示すように、タッチパネル３７には使用頻度の高い機能を分類して表示する「メイン」画面を初期画面として表示する。さらに、本実施形態においては、初期画面としてのメイン画面における機能操作部領域５３の一部に、ビデオプロセッサ３を使用する際に用いるパラメータセットを選択するためのユーザー設定情報呼出ボタン７１を配置することを特徴とする。【００４８】
一方、図６に示すように、機能操作部領域５３の側方には、ホームボタン５４、画像閲覧ボタン５５、設定ボタン５６が配設される。【００４９】
ホームボタン５４は、押下操作（タッチ操作）することにより、内視鏡検査中に使用する画面が表示されるようになっている。【００５０】
画像閲覧ボタン５５は、押下操作（タッチ操作）することにより、内視鏡検査後のデータ整理を含め、画像閲覧に供する画面が表示されるようになっている。【００５１】
設定ボタン５６は、押下操作（タッチ操作）することにより、ユーザー設定、メンテナンス、システム設定を行う画面が表示されるようになっている。【００５２】
＜タッチパネルにおけるメッセージ表示履歴画面についての説明＞
次に、ビデオプロセッサ３に配設されたタッチパネル３７上に展開されるメッセージ表示履歴画面について説明する。【００５３】
図７は、タッチパネルに展開されるメッセージ表示履歴画面の第１例を示した図であり、図８は、タッチパネルに展開されるメッセージ表示履歴画面の第２例を示した図であり、図９は、タッチパネルに展開されるメッセージ表示履歴画面の第３例を示した図である。【００５４】
図６に戻って、機能操作部領域５３の側方に配設された設定ボタン５６を押下操作（タッチ操作）すると、制御部３１の制御下にタッチパネル３７は、メンテナンス画面に切り替わる。その後、メンテナンス画面において、メッセージ表示履歴ボタンを押下操作（タッチ操作）すると、制御部３１の制御下にタッチパネル３７は、図７に示すように、メッセージ表示履歴画面に切り替わる。【００５５】
このメッセージ表示履歴画面においては、図７に示すように、ボタン８１、ボタン８２、ボタン８３、メッセージリスト情報８４、戻るボタン８５、出力ボタン８６が配設されている。【００５６】
メッセージリスト情報８４には、複数のメッセージ情報８７ａ〜８７ｄのリストが一覧で表示されている。複数のメッセージ情報８７ａ〜８７ｄは、ビデオプロセッサ３内部の異常に関するメッセージ情報８７ａ及び８７ｄと、ビデオプロセッサ３内部の異常に関するメッセージ情報以外のメッセージ情報８７ｂ及び８７ｃとを含んでいる。【００５７】
異常に関するメッセージ情報８７ａ及び８７ｄは、「Eaaa」あるいは「Ebbb」というコード（エラーコード）が付加されている。異常に関するメッセージ情報以外のメッセージ情報８７ｂ及び８７ｃは、例えば、ビデオプロセッサ３の設定情報等であり、コードが付加されていない。【００５８】
なお、ビデオプロセッサ３内部の異常に関するメッセージ情報に限定されるものではなく、内視鏡２の異常についても検知することができる。また、周辺機器や接続ケーブルの異常も検知するようにしてもよい。【００５９】
ボタン８１は、異常に関するメッセージ情報８７ａ及び８７ｄと、異常に関するメッセージ情報以外のメッセージ情報８７ｂ及び８７ｃとを一覧表示するためのボタンである。図７に示すように、ボタン８１を押下操作（タッチ操作）すると、制御部３１の制御下にタッチパネル３７は、異常に関するメッセージ情報８７ａ及び８７ｄと、異常に関するメッセージ情報以外のメッセージ情報８７ｂ及び８７ｃとを一覧表示する。【００６０】
このように、制御部３１は、タッチパネル３７に対して表示する複数のメッセージ情報８７ａ〜８７ｄを生成するメッセージ生成部を構成する。【００６１】
ボタン８２は、異常に関するメッセージ情報を一覧表示するためのボタンである。図８に示すように、ボタン８２を押下操作（タッチ操作）すると、制御部３１の制御下にタッチパネル３７は、異常に関するメッセージ情報８７ａ、８７ｄ、８７ｅ及び８７ｆを一覧表示する。【００６２】
ボタン８３は、異常に関するメッセージ情報以外のメッセージ情報を一覧表示するためのボタンである。図９に示すように、ボタン８３を押下操作（タッチ操作）すると、制御部３１の制御下にタッチパネル３７は、異常に関するメッセージ情報以外のメッセージ情報８７ｂ、８７ｃ、８７ｇ及び８７ｈを一覧表示する。【００６３】
このように、制御部３１は、複数のメッセージ情報８７ａ〜８７ｈのうち、プロセッサ３内部（装置内部）の異常に関するメッセージ情報８７ａ、８７ｄ、８７ｅ及び８７ｆと、異常に関するメッセージ情報以外のメッセージ情報８７ｂ、８７ｃ、８７ｇ及び８７ｈを識別する識別部を構成する。【００６４】
異常に関するメッセージ情報８７ａ、８７ｄ、８７ｅ及び８７ｆは、図８に示すようにコードが付加されている。一方、異常に関するメッセージ情報以外のメッセージ情報８７ｂ、８７ｃ、８７ｇ及び８７ｈは、図９に示すようにコードが付加されていないが、内部的にコードが付加されている。制御部３１は、メッセージ情報に付加されているコードに応じて、プロセッサ３内部（装置内部）の異常に関するメッセージ情報８７ａ、８７ｄ、８７ｅ及び８７ｆか、異常に関するメッセージ情報以外のメッセージ情報８７ｂ、８７ｃ、８７ｇ及び８７ｈかを識別している。そして、制御部３１は、このように識別したメッセージ情報を選択的にタッチパネル３７に一覧表示する表示制御部を構成する。【００６５】
以上のように、ユーザーがボタン８１、８２または８３を押下操作（タッチ操作）すると、その操作信号が制御部３１に入力される。制御部３１は、その操作信号に応じて、異常に関するメッセージ情報、異常に関するメッセージ情報以外のメッセージ情報、あるいは、これらのメッセージ情報の両方をタッチパネル３７に一覧表示することができる。【００６６】
よって、本実施形態の内視鏡システムによれば、メッセージの種類に応じて、メッセージ情報を表示部に適切に一覧表示することができる。【００６７】
なお、内視鏡システム１は、過去に表示したメッセージの詳細をメッセージの詳細画面で表示するようにしてもよい。図１０は、メッセージの詳細画面の一例を示した図である。【００６８】
過去に表示したメッセージの一覧履歴が表示されている状態で、１つのメッセージを押下操作（タッチ操作）すると、制御部３１の制御下にメッセージの詳細画面に移行する。メッセージの詳細画面では、押下操作（タッチ操作）されたメッセージの詳細情報、すなわち、過去に実際に表示したメッセージが再現表示される。【００６９】
メッセージの詳細画面には、戻るボタン８８及び次へボタン８９が配設されている。メッセージの詳細画面において、メッセージ情報消去部としての戻るボタン８８を押下操作（タッチ操作）すると、制御部３１の制御下にメッセージ表示履歴画面に移行する。【００７０】
なお、図１０のメッセージの詳細画面では、１つのメッセージの詳細な情報についてのみ表示しているが、複数のメッセージの詳細な情報を表示するようにしてもよい。また、メッセージの詳細画面に配設された次へボタン８９を押下操作（タッチ操作）すると、次のメッセージの詳細な情報が表示されるように構成されていてもよい。【００７１】
また、内視鏡システム１は、ユーザー権限でログインした、あるいは、サービス権限でログインした場合等、ログイン権限によって操作できる機能が異なる。すなわち、内視鏡システムは、サービス権限でログインした場合にしか操作できない機能が存在する。このような、サービス権限でログインした場合にしか操作できない機能に伴うメッセージは、ユーザー権限でログインしている場合、表示する必要がない。そこで、内視鏡システム１は、ログイン権限に応じて表示するメッセージの一覧履歴を変更するようにしてもよい。【００７２】
なお、ログインする権限の種類をユーザー権限とサービス権限について説明したが、本構成はこれに限定されることなく、営業権限、開発権限、工場権限といったようにログイン権限の種類を追加してもよい。【００７３】
図１１は、ユーザー権限、サービス権限で表示可能なメッセージの一例を示した図であり、図１２は、ユーザー権限、サービス権限で表示されるメッセージ表示履歴画面の一例を示した図である。【００７４】
図１１に示すように、「ホワイトバランス調整失敗」、「ＡＧＣ：ＯＮ」、「測光モード：平均」、及び、「内部メモリ容量不足」のメッセージは、ユーザー権限、及び、サービス権限で表示可能なメッセージである。一方、「アップデート失敗」、及び、「ログを書き出しました」のメッセージは、サービス権限でのみ表示可能なメッセージである。【００７５】
ユーザー権限でログインした場合、図１２の上側のメッセージ表示履歴画面に示すように、制御部３１の制御下にユーザー権限で表示可能なメッセージ情報のみが表示される。一方、サービス権限でログインした場合、図１２の下側のメッセージ表示履歴画面に示すように、制御部３１の制御下にサービス権限で表示可能なメッセージ情報のみが表示される。【００７６】
このように、内視鏡システム１は、ログイン権限に応じて表示するメッセージの履歴を変更する。この結果、ユーザーは、自分の操作に伴って表示されたメッセージ情報のみを確認することができるようになる。【００７７】
また、メッセージの履歴のリスト情報を外部記憶装置に出力するようにしてもよい。図１３は、メッセージの履歴のリスト情報の出力する一例を示した図である。【００７８】
メッセージ表示履歴画面において、メッセージリスト出力部としての出力ボタン８６を押下操作（タッチ操作）すると、制御部３１は、図１３に示すように、メッセージの履歴のリスト情報９０を外部記憶装置である記録媒体３０にテキスト形式で出力する。リスト情報９０は、メッセージを表示した日時、エラーメッセージの場合はエラーコード、メッセージのタイトル、及び、メッセージの本文を含む。【００７９】
なお、リスト情報９０は、外部記憶媒体である記録媒体３０に出力することに限定されることなく、外部のサーバやパーソナルコンピュータ（以下、パソコンという）等の周辺機器に出力するようにしてもよい。これにより、ユーザーは、メッセージの履歴をパソコン上で確認・編集することができる。【００８０】
次に、本発明の参考例について説明する。【００８１】
＜参考例１＞
従来、タッチパネル画面をより直感的に操作することが望まれていた。かかる課題に対して参考例１は、タッチパネル上においてスライドでスクロールすることができ、また、スライドを離した時点で画面がその位置で静止する。さらに、スクロールバーを用いて画面を移動することができる。【００８２】
具体的には、図１４に示すように、メッセージ表示履歴画面には、メッセージの履歴が表示されるメッセージ履歴表示領域１００が設けられている。ユーザーは、メッセージ履歴表示領域を指等で上下にスライドさせることで、上下に隠れているメッセージの履歴をメッセージ履歴表示領域に表示させることができる。このように、スクロール操作で表示項目をスライドさせることで、タッチパネル３７の画面サイズを超える項目を同一画面内に表示することができる。【００８３】
＜参考例２＞
従来、タッチパネル画面において、削除または転送操作をすると、その後表示状態がかわる（設定がリセットされる）ことがあった。かかる課題に対して参考例２は、削除または転送完了後も、自動リセットされずソート条件およびスクロール位置を保持するようにした。【００８４】
具体的には、図１５に示すように、画像閲覧画面には、検査した画像が格納されている検査フォルダ１０１ａ〜１０１ｄが表示されている。ユーザーは、検査フォルダ１０１ｂ及び１０１ｃにチェックを入れて削除ボタン１０２を押下操作（タッチ操作）すると、検査フォルダ１０１ｂ及び１０１ｃを削除することができる。検査フォルダ１０１ｂ及び１０１ｃの削除の完了後、タッチパネル３７では、画面の表示位置（検査フォルダ１０１ａの表示位置）及びソート条件（図１５では降順）を保持する。【００８５】
また、図１６に示すように、ユーザーは、検査フォルダ１０１ｃにチェックを入れて転送ボタン１０３を押下操作（タッチ操作）すると、検査フォルダ１０１ｃを外部記憶装置である記録媒体３０に転送することができる。検査フォルダ１０１ｃの転送の完了後、タッチパネル３７では、画面の表示位置（検査フォルダ１０１ａの表示位置）及びソート条件（図１６では降順）を保持する。これにより、データの削除・転送完了後も、画面の表示位置やソート条件を保持するため、再度操作し直す必要がなくなる。【００８６】
＜参考例３＞
従来、タッチパネル画面において、ボタンの大きさをかえて表示することが望まれていた。かかる課題に対して参考例３は、機能分類切替表示部領域を長押しすることにより、ボタンを大きく表示するようにした。【００８７】
具体的には、図１７Ａに示すように、メイン画面には、種々の操作機能を切り替えて表示するための複数のボタンが配置された機能分類切替表示部領域５２が設けられている。ユーザーは、機能分類切替表示部領域５２を長押しすることで、図１７Ｂに示すように、タッチパネル３７には、複数のボタンが拡大された機能分類切替表示部領域５２ａが表示される。機能分類切替表示部領域５２ａでは、複数のボタンの拡大に加え、複数のボタンのそれぞれに表示されるラベルも拡大する。【００８８】
なお、図１８Ａに示すように、機能分類切替表示部領域５２に隣接して拡大ボタン１０４を配置し、この拡大ボタン１０４がユーザーによって押下操作（タッチ操作）された場合、図１８Ｂに示すように、複数のボタンが拡大された機能分類切替表示部領域５２ａをタッチパネル３７に表示するようにしてもよい。これにより、ユーザーは、ボタンの押下操作（タッチ操作）やボタン名（機能カテゴリー）の確認が容易になる。【００８９】
＜参考例４＞
従来、タッチパネル画面の画像閲覧画面において、検索性の高いユーザーインタフェースを提供することが望まれていた。かかる課題に対して参考例４は、画像閲覧画面において、検査開始日時／患者ID／患者名／転送状態（転送済み、未転送）でソートできるようにした。【００９０】
具体的には、図１９に示すように、画像閲覧画面には、日時ボタン１０５、患者ＩＤボタン１０６、患者名ボタン１０７、転送状態ボタン１０８が配置されている。日時ボタン１０５が押下操作（タッチ操作）されると、図１９の左側の画像閲覧画面に示すように、検査フォルダが検査開始日時に従って降順でソートされる。このとき、ソートしている日時ボタン１０５にソート状態を表すマーク１０９が表示される。【００９１】
また、この状態で日時ボタン１０５が再度押下操作（タッチ操作）されると、図１９の右側の画像閲覧画面に示すように、検査フォルダが降順から昇順に切り替わって表示される。このとき、ソート状態を表すマーク１０９の向きも切り替わる。なお、患者ＩＤボタン１０６、患者名ボタン１０７及び転送状態ボタン１０８についても、日時ボタン１０５と同様に、降順、昇順にソートすることができる。これにより、検査フォルダの表示順を変更することで、任意のフォルダの検索が容易になる。【００９２】
＜参考例５＞
従来、機器の基板に故障が発生している状態においては、ユーザー使用を抑制することが望まれていた。かかる課題に対して参考例５は、電源オン時に基板の故障チェックを行い、故障があった場合は、タッチパネル上に故障があることを報知する。または、故障が発生したことをログに残すようにした。【００９３】
具体的には、図２０に示すように、観察モニタ４の所定の領域に故障していることを示すメッセージを表示する。この所定の領域以外の背景は、例えば黒で塗りつぶして、何も表示しないようにする。【００９４】
同様に、図２１に示すように、タッチパネル３７の所定の領域に故障していることを示すメッセージを表示する。この所定の領域以外の背景は、例えば黒で塗りつぶして、何も表示しないようにする。このように、故障を報知するメッセージが表示される領域以外に何も表示しないことで、ユーザーの使用を禁止することができる。【００９５】
＜参考例６＞
従来、照明ランプに異物の付着等が発生することで光量が低下しカラーバランスが崩れてしまうことがあり、対策が望まれていた。かかる課題に対して参考例６は、照明ランプの光量低下時にログに残す機能を設けることで、カラーバランスが崩れてしまった要因を解析できるようにした。【００９６】
また、従来、照明ランプの光量低下により検査に支障がでてしまうことがあり、対策が望まれていた。かかる課題に対して参考例６は、各照明ランプの光量が光量異常閾値を下回っている場合は、照明ランプ光量異常をユーザーに報知し、ログに記録するようにした。【００９７】
具体的には、光量が第１の閾値以下の場合、ログを記録し、光量が第１の閾値より低い第２の閾値以下の場合、ログを記録するとともに、ユーザーに報知を行う。光量が第１の閾値以下の場合にログを記録することで、ユーザー操作を中止する光量でない場合も解析用にログを残すことができる。また、光量が第２の閾値以下の場合にユーザー報知を行うことによって、ユーザー操作を中止することができる。【００９８】
＜参考例７＞
従来、周辺機器によってＳＤ(Standard Definition)画像とＨＤ(High Definition)画像とでキャプチャーの取り込み時間が異なるため、画像種別に応じた取り込み時間の設定が可能であったが、機種ごとにレリーズ時間を設定せねばならず、手間がかかるという問題があった。【００９９】
かかる課題に対して参考例７は、静止画像に係るレリーズ時間を、複数のＨＤ画像または複数のＳＤ画像でそれぞれ統一して設定できるようにした。【０１００】
具体的には、タッチパネル３７に全ての機器に共通のレリーズ時間を設定するための設定画面を表示し、ユーザーに全ての機器に共通のレリーズ時間を設定させる。これにより、レリーズ時間の設定が容易になる。【０１０１】
＜参考例８＞
従来、ＳＤ画像をモニタ表示しようとする際において、当該モニタがＨＤＴＶモニタである場合は、モニタによってはＳＤ画像を表示することができないという問題があった。かかる課題に対して参考例８は、画像閲覧でＳＤ画像を内視鏡観察画面に表示する際において、内視鏡観察画面としてＨＤＴＶモニタが選択されている場合には、当該ＳＤＴＶの再生画像を表示可能とした。【０１０２】
具体的には、図２２Ａに示すように、ユーザーが画像閲覧画面において、再生したい画像１１０を押下操作（タッチ操作）すると、再生したい画像１１０がＳＤ画像であった場合でも、図２２Ｂに示すように、ＨＤモニタである観察モニタ４にＳＤ画像が再生される。なお、再生したい画像１１０がＨＤ画像である場合、図２２Ｃに示すように、通常通りに観察モニタ４にＨＤ画像が再生される。これにより、ＨＤモニタを使用時でもＳＤ画像を表示することができるようになる。【０１０３】
＜参考例９＞
従来、内視鏡観察画面で表示される患者情報や周辺機器情報等の文字情報を隠したい場合、隠した情報部分だけが空白（歯抜け状態）となり見にくくなるという問題があった。かかる課題に対して参考例９は、情報表示切替（カスタム時）に非表示設定をした場合においては、上詰め／左詰め表示するようにした。【０１０４】
＜参考例１０＞
従来、内視鏡観察画面において、被検体画像の色合いによらず文字情報を見やすくするという要望があった。かかる課題に対して参考例１０は、被検体画像の色合いに応じて、観察画面の文字情報、カーソルまたはアイコンの色を２段階で選択できるようにした。【０１０５】
具体的には、タッチパネル３７に文字情報の色を設定するための設定画面を表示し、ユーザーに文字情報の色を設定させる。【０１０６】
＜参考例１１＞
従来、内視鏡観察画面において、観察画面の文字情報を見やすくするという要望があった。かかる課題に対して参考例１１は、観察画面の文字情報、カーソルまたはアイコンのサイズを２段階で選択できるようにした。【０１０７】
具体的には、タッチパネル３７に文字情報の大きさを設定するための設定画面を表示し、ユーザーに文字情報の大きさを設定させる。【０１０８】
＜参考例１２＞
従来、内視鏡観察画面に表示されている患者情報の項目が何かを確認したいという要望があった。かかる課題に対して参考例１２は、内視鏡観察画面の患者情報に文字情報またはアイコンを表示するようにした。【０１０９】
具体的には、図２３Ａに示すように、内視鏡観察画面の患者情報に文字１１１を表示する。あるいは、図２３Ｂに示すように、内視鏡観察画面の患者情報にアイコン１１２を表示する。【０１１０】
＜参考例１３＞
従来、内視鏡観察画面において、以前使用した機器のレイアウトを採用したいという要望があった。かかる課題に対して参考例１３は、内視鏡観察画面において、新規の画面レイアウトと過去に使用した機器の画面レイアウトとを選択できるようにした。【０１１１】
具体的には、タッチパネル３７に図２４に示す通常の画面レイアウトと、図２５に示す従来の画面レイアウトとを選択させるための選択画面を表示し、ユーザーに観察モニタ４における画面レイアウトを選択させる。これにより、観察モニタ４において従来機器の画面レイアウトで観察が可能となる。【０１１２】
＜参考例１４＞
従来、タッチパネル画面において、リスト画面で使用していない番号が表示されるという問題があった。かかる課題に対して参考例１４は、リスト画面は、番号が小さい順に詰めて表示するようにした。また、任意の患者情報を削除する際においては、患者情報リストは、削除時番号を詰めて表示し、また、登録時は最後尾番号に登録するようにした。【０１１３】
具体的には、図２６に示すように、患者情報画面には、「患者aaa」から「患者eee」までの５件の患者情報が登録されている。ユーザーがこの状態から「患者ccc」にチェックを入れ、削除ボタン１１３を押下操作（タッチ操作）すると、「患者ccc」が削除されるとともに、後続の患者情報が詰めて表示される。このように、リストを詰めて表示することで、現在の登録件数や登録情報を判断しやすくなる。【０１１４】
また、ユーザーがこの状態から新規登録ボタン１１４を押下操作（タッチ操作）して「患者fff」を新規登録すると、新規登録された「患者fff」の情報が最後尾に登録される。このように、患者情報の新規登録時には、最後尾に患者情報を登録することで、登録位置を容易に判断できるようになる。【０１１５】
＜参考例１５＞
従来、タッチパネル画面において、現在呼び出し中のユーザー設定は削除することができないという問題があった。かかる課題に対して参考例１５は、複数のユーザー設定のうち、現在呼び出し中のユーザー設定を削除できるようにした。【０１１６】
具体的には、図２７に示すように、ユーザー設定画面には、「User 01」から「User 05」までの５件のユーザー設定が登録されている。現在呼び出し中のユーザー設定には、アイコン１２０が表示される。すなわち、「User 01」が現在呼び出し中となっている。ユーザーがこの状態から「User 01」にチェックを入れ、削除ボタン１２１を押下操作（タッチ操作）すると、呼び出し中のユーザー設定をダイレクトに削除することができる。【０１１７】
また、呼び出し中のユーザー設定を削除した場合、次の番号のユーザー設定（この場合、「User 02」）を自動で呼び出すことで、ユーザーによるその後の呼び出し操作を省略することができる。【０１１８】
＜参考例１６＞
従来、タッチパネル画面において、設定の登録・コピー先を任意に選択したいという要望があった。かかる課題に対して参考例１６は、ユーザー設定の新規登録・コピー画面において、空いている番号から任意に番号を選択できるようにした。【０１１９】
＜参考例１７＞
従来、タッチパネル画面において、リスト画面で登録されたことを確認したいという要望があった。かかる課題に対して参考例１７は、登録した情報がリストの最終行に表示されるように画面を自動でスクロールするようにした。【０１２０】
具体的には、図２８に示すように、ユーザー設定画面においてユーザー設定の登録件数がリスト画面の許容件数（図２８の例では８件）以上の状況で、ユーザーが新規登録ボタン１２２を押下操作（タッチ操作）すると、ユーザー設定の新規登録を行うことができる。例えば、上記状況で、「User 09」のユーザー情報が新規登録されると、スクロールバー１２３が表示され、リストの最終行に自動的にスクロールされる。【０１２１】
＜参考例１８＞
従来、静止画記録において、画像の記録枚数表示と実際に記録した枚数（例えば、ボータブルメモリへ記録した枚数）の表示が一致せずに分かりづらいという問題があった。かかる課題に対して参考例１８は、画像の記録枚数表示と実態に記録した枚数の表示を一致するようにした。【０１２２】
具体的に、レリーズ回数のカウンタとポータブルメモリへの転送済みカウンタは同期した値とする。そして、レリーズ回数のカウンタはレリーズ時にインクリメントし、失敗した場合はデクリメントすることで、転送済みのカウンタと最終的に合致するようにする。【０１２３】
すなわち、図２９に示すように、レリーズカウンタは「０」からスタートとし、画像記録を実施すると、一旦、レリーズ回数のカウンタを１増やす。その後、画像記録が失敗すると、レリーズ回数をデクリメントし、画像記録が成功すると、転送済みカウンタ（保存枚数）を１増やす。【０１２４】
＜参考例１９＞
従来、ビデオプロセッサに接続される周辺機器設定の齟齬により、システム設定／ユーザー設定が認識できずレリーズできないという問題があった。かかる課題に対して参考例１９は、ユーザー設定画面のレリーズ対象の項目を選択する際に、対象となる周辺機器が設定されていない場合は報知するようにした。【０１２５】
具体的には、図３０に示すように、ユーザー設定において、ポータブルメモリ、ビデオプリンタ及び内視鏡画像ファイル装置の設定は、システム設定と一致させる必要がある設定となっている。例えば、ユーザーがビデオプリンタにチェックを入れ、閉じるボタン１２４を押下操作（タッチ操作）すると、システム設定と一致していない場合、図３１に示す接続機器設定不一致画面１２５がタッチパネル３７に表示され、ユーザーに報知する。【０１２６】
また、図３２に示すように、システム設定画面において、リモート１端子及びリモート２端子の設定は、ユーザー設定と一致させる必要がある設定となっている。例えば、ユーザーがリモート１端子及びリモート２端子の設定を変更し、保存ボタン１２６を押下操作（タッチ操作）すると、ユーザー設定と一致していない場合、図３１に示す接続機器設定不一致画面１２５がタッチパネル３７に表示され、ユーザーに報知する。【０１２７】
また、図３０のポータブルメモリがレリーズ対象となっている際に、図３３に示すように、システム設定画面において、画像記録の保存機能が「ＯＦＦ」になっている場合（システム設定画面で静止画記録を行う設定になっていない場合）、図３４に示す静止画保存設定不一致画面１２７がタッチパネルに表示され、ユーザーに報知する。【０１２８】
次に、設定不一致の報知の処理について、図３５を用いて説明する。【０１２９】
まず、ユーザー設定において、レリーズ１対象機器が変更される（ステップＳ１）。次に、制御部３１は、ビデオプリンタが対象か否かを判定する（ステップＳ２）。ビデオプリンタが対象でないと判定した場合（ステップＳ２：ＮＯ）、ステップＳ６に進む。一方、ビデオプリンタが対象であると判定した場合（ステップＳ２：ＹＥＳ）、制御部３１は、システム設定の設定値を確認する（ステップＳ３）。次に、制御部３１は、接続機器にビデオプリンタが設定されているか否かを判定する（ステップＳ４）。接続機器にビデオプリンタが設定されていると判定した場合（ステップＳ４：ＹＥＳ）、ステップＳ６に進む。一方、接続機器にビデオプリンタが設定されていないと判定した場合（ステップＳ４：ＮＯ）、制御部３１は、接続機器設定不一致を報知し（ステップＳ５）、ステップＳ６に進む。【０１３０】
次に、制御部３１は、内視鏡画像ファイル装置が対象か否かを判定する（ステップＳ６）。内視鏡画像ファイル装置が対象でないと判定した場合（ステップＳ６：ＮＯ）、ステップＳ１０に進む。一方、内視鏡画像ファイル装置が対象であると判定した場合（ステップＳ６：ＹＥＳ）、制御部３１は、システム設定の設定値を確認する（ステップＳ７）。次に、制御部３１は、接続機器に内視鏡画像ファイル装置が設定されているか否かを判定する（ステップＳ８）。接続機器に内視鏡画像ファイル装置が設定されていると判定した場合（ステップＳ８：ＹＥＳ）、ステップＳ１０に進む。一方、接続機器に内視鏡画像ファイル装置が設定されていないと判定した場合（ステップＳ８：ＮＯ）、制御部３１は、接続機器設定不一致を報知し（ステップＳ９）、ステップＳ１０に進む。【０１３１】
次に、制御部３１は、ポータブルメモリが対象か否かを判定する（ステップＳ１０）。ポータブルメモリが対象でないと判定した場合（ステップＳ１０：ＮＯ）、処理を終了する。一方、ポータブルメモリが対象であると判定した場合（ステップＳ１０：ＹＥＳ）、制御部３１は、システム設定の設定値を確認する（ステップＳ１１）。次に、制御部３１は、画像記録の保存機能がＯＮか否かを判定する（ステップＳ１２）。画像記録の保存機能がＯＮであると判定した場合（ステップＳ１２：ＹＥＳ）、処理を終了する。一方、画像記録の保存機能がＯＮでないと判定した場合（ステップＳ１２：ＮＯ）、制御部３１は、静止画像保存設定不一致を報知し（ステップＳ１３）、処理を終了する。【０１３２】
＜参考例２０＞
従来、レリーズ時の内部メモリ内の未転送画像ファイルの管理方法をユーザーが選択できないという問題があった。かかる課題に対して参考例２０は、レリーズ時の未転送画像を「削除しない／削除する」を設定で選択できるようにした。【０１３３】
＜参考例２１＞
従来、内部メモリ内の画像を外部機器へ転送することはできるものの、一度しか転送できないため、異なる外部機器に対して転送できないという問題があった。かかる課題に対して参考例２１は、内部メモリに保存されている転送済みの静止画像を何度でも取り出せるようにすることで、ユーザービリティーを向上するようにした。【０１３４】
＜参考例２２＞
従来、内部メモリの静止画像について、必要な画像だけ取り出せないという問題があった。かかる課題に対して参考例２２は、内部メモリの静止画像を個別転送できるようにした。【０１３５】
具体的に検査単位での、未転送画像／全画像の一括転送および静止画像の個別転送ができるようにした。【０１３６】
さらに、具体的には、図３６に示すように、ユーザーが検査フォルダ１０１ａにチェックを入れ、転送ボタン１０３を押下操作（タッチ操作）すると、画像転送選択画面がタッチパネル３７に表示される。画像転送選択画面は、未転送画像のみを転送するためのボタン１３０と、全画像を転送するためのボタン１３１とが設けられている。ユーザーは、ボタン１３０を押下操作（タッチ操作）後に、ＯＫボタン１３２を押下操作（タッチ操作）することで、未転送画像のみを外部のサーバや外部記憶装置である記録媒体３０に転送することができる。これにより、ユーザーは、外部のサーバや記録媒体３０に転送する画像をユーザーが必要な画像のみに絞ることができるため、画像転送に要する時間を短縮することができる。【０１３７】
＜参考例２３＞
従来、処理実行中の処理進捗および処理状態について的確に確認することが望まれていた。かかる課題に対して参考例２３は、例えば、白キズ補正中においては、全体のプロセスに対してどのプロセスであるかについて表示し、また、暖機をスキップした場合においては、スキップしたことを上記プロセス上に表示するようにした。【０１３８】
具体的に、図３７Ａ、図３７Ｂ及び図３７Ｃに示すように、白キズ補正画面において、「暖機処理」、「補正処理」及び「補正完了」の３つの項目がある。各処理が完了すると、各項目の左側にチェックアイコンが表示される。また、白キズ補正画面において、ユーザーが暖機処理中にスキップボタン１４０を押下操作（タッチ操作）することで、図３７Ｄに示すように、暖機処理をスキップすることができる。このとき、暖機処理の項目の下に、暖機処理をスキップしたことを示す表示を行う。【０１３９】
＜参考例２４＞
従来、タッチパネル画面において、パスワードを入力する際における誤操作防止が課題となっていた。かかる課題に対して参考例２４は、パスワード入力の際、２秒間又は次文字入力まで現在の文字を表示し、その後“＊”を表示するようにした。【０１４０】
具体的には、図３８に示すように、タッチパネル３７に表示されるソフトウェアキーボード１５０でユーザーがパスワードとして「１」を入力すると、表示エリア１５１に「１」が表示され、図３９に示すように、その２秒後に表示エリア１５１に「＊」が表示される。【０１４１】
あるいは、ソフトウェアキーボード１５０でユーザーがパスワードとして「１」を入力した後に、図４０に示すように、ユーザーがパスワードとして「２」を入力すると、表示エリア１５１に前の文字として「＊」が表示される。【０１４２】
＜参考例２５＞
従来、タッチパネル画面において、全ての設定を順を追って確認しながら設定できることが望まれていた。かかる課題に対して参考例２５は、ユーザー設定画面およびシステム設定画面において、全ての設定を順を追って確認する方法（ウィザード形式）で設定できるようにした。ユーザー設定画面は、ウィザード形式か個別編集形式かを選択することができる。【０１４３】
具体的には、ウィザード形式で設定を行う場合、図４１に示すようにウィザード画面がタッチパネル３７に表示される。ウィザード画面では、ウィザードの総ページ数と現在のページ数の情報１６０が表示される。ウィザード画面の１ページ目は、全ての設定項目が順番に表示されており、ユーザーが次へボタン１６１を押下操作（タッチ操作）すると、図４２に示すように、２ページ目の「1-1 言語／日時」画面に移行する。【０１４４】
ユーザーがウィザード画面に従って全ての設定項目を設定すると、図４３に示すように、１４ページ目の「設定確認」画面に移行する。ユーザーが「設定確認」画面において、保存ボタン１６２を押下操作（タッチ操作）することで、設定を保存することができる。【０１４５】
また、図４４に示すように、ユーザーは、ユーザー設定登録方法画面において、ウィザードボタン１６３または個別編集ボタン１６４を選択し、ＯＫボタン１６５を押下操作（タッチ操作）することで、ウィザード形式か個別編集形式かを選択することができる。【０１４６】
＜参考例２６＞
従来、ビデオプロセッサに搭載されるＧＵＩの設定値切替ボタンの操作において、設定が上限または下限に達した場合、ユーザーに対して報知されることが無く不便であるという問題があった。【０１４７】
かかる課題に対して参考例２６は、カスタムスイッチにおいて上限または下限を超える方向の操作をする場合は、上限または下限に達していることをブザー（警告音）等によりユーザーに報知するようにした。【０１４８】
具体的には、図４５に示すように、メイン画面（図３参照）において、明るさを設定する場合、ユーザーは「−」ボタン１７０または「＋」ボタン１７１を押下操作（タッチ操作）する。ユーザーが「−」ボタン１７０により明るさを一段階暗くする場合、あるいは、「＋」ボタン１７１により明るさを一段階明るくする場合、ビデオプロセッサ３は例えば「ピッ」という音を出す。【０１４９】
これに対し、図４６に示すように、明るさが上限の「＋８」の状態で、ユーザーがさらに「＋」ボタン１７１を押下操作（タッチ操作）すると、ビデオプロセッサ３は例えば「ピピピピッ」という警告音を出し、ユーザーに明るさの上限であることを報知する。【０１５０】
同様に、図４７に示すように、明るさが下限の「−８」の状態で、ユーザーがさらに「−」ボタン１７０を押下操作（タッチ操作）すると、ビデオプロセッサ３は例えば「ピピピピッ」という警告音を出し、ユーザーに明るさの下限であることを報知する。【０１５１】
このように、明るさの変更時の音と、明るさの上限または下限時の音とを変更することで、ユーザーは、設定の上限または下限であることが聴覚的に分かり、無駄にボタンを押下することがなくなる。【０１５２】
なお、本明細書におけるフローチャート中の各ステップは、その性質に反しない限り、実行順序を変更し、複数同時に実行し、あるいは実行毎に異なった順序で実行してもよい。【０１５３】
本発明は、上述した実施形態に限定されるものではなく、本発明の要旨を変えない範囲において、種々の変更、改変等が可能である。【０１５４】
本出願は、２０１５年１０月２７日に日本国に出願された特願２０１５−２１０８１６号を優先権主張の基礎として出願するものであり、上記の開示内容は、本願明細書、請求の範囲に引用されるものとする。
【図１】
2017073404.tif 000003
【図２】
2017073404.tif 000004
【図３】
2017073404.tif 000005
【図４】
2017073404.tif 000006
【図５】
2017073404.tif 000007
【図６】
2017073404.tif 000008
【図７】
2017073404.tif 000009
【図８】
2017073404.tif 000010
【図９】
2017073404.tif 000011
【図１０】
2017073404.tif 000012
【図１１】
2017073404.tif 000013
【図１２】
2017073404.tif 000014
【図１３】
2017073404.tif 000015
【図１４】
2017073404.tif 000016
【図１５】
2017073404.tif 000017
【図１６】
2017073404.tif 000018
【図１７Ａ】
2017073404.tif 000019
【図１７Ｂ】
2017073404.tif 000020
【図１８Ａ】
2017073404.tif 000021
【図１８Ｂ】
2017073404.tif 000022
【図１９】
2017073404.tif 000023
【図２０】
2017073404.tif 000024
【図２１】
2017073404.tif 000025
【図２２Ａ】
2017073404.tif 000026
【図２２Ｂ】
2017073404.tif 000027
【図２２Ｃ】
2017073404.tif 000028
【図２３Ａ】
2017073404.tif 000029
【図２３Ｂ】
2017073404.tif 000030
【図２４】
2017073404.tif 000031
【図２５】
2017073404.tif 000032
【図２６】
2017073404.tif 000033
【図２７】
2017073404.tif 000034
【図２８】
2017073404.tif 000035
【図２９】
2017073404.tif 000036
【図３０】
2017073404.tif 000037
【図３１】
2017073404.tif 000038
【図３２】
2017073404.tif 000039
【図３３】
2017073404.tif 000040
【図３４】
2017073404.tif 000041
【図３５】
2017073404.tif 000042
【図３６】
2017073404.tif 000043
【図３７Ａ】
2017073404.tif 000044
【図３７Ｂ】
2017073404.tif 000045
【図３７Ｃ】
2017073404.tif 000046
【図３７Ｄ】
2017073404.tif 000047
【図３８】
2017073404.tif 000048
【図３９】
2017073404.tif 000049
【図４０】
2017073404.tif 000050
【図４１】
2017073404.tif 000051
【図４２】
2017073404.tif 000052
【図４３】
2017073404.tif 000053
【図４４】
2017073404.tif 000054
【図４５】
2017073404.tif 000055
【図４６】
2017073404.tif 000056
【図４７】
2017073404.tif 000057
【手続補正書】
【提出日】平成29年3月16日(2017.3.16)
【手続補正１】
【補正対象書類名】明細書
【補正対象項目名】０００８
【補正方法】変更
【補正の内容】
【０００８】
本発明の一態様の内視鏡システムは、複数のメッセージ情報を生成するメッセージ生成部と、前記複数のメッセージ情報が表示される表示部と、ユーザーによる操作に基づき操作信号が入力されると、前記複数のメッセージ情報に付加されたコードのうち装置内部の異常に関するエラーコードを識別する識別部と、前記複数のメッセージ情報のうち、前記識別部により識別された前記エラーコードが付加されたメッセージ情報を一覧で表示させる表示制御部と、を備える。
【手続補正２】
【補正対象書類名】特許請求の範囲
【補正対象項目名】全文
【補正方法】変更
【補正の内容】
【特許請求の範囲】
【請求項１】
複数のメッセージ情報を生成するメッセージ生成部と、
前記複数のメッセージ情報が表示される表示部と、
ユーザーによる操作に基づき操作信号が入力されると、前記複数のメッセージ情報に付加されたコードのうち装置内部の異常に関するエラーコードを識別する識別部と、
前記複数のメッセージ情報のうち、前記識別部により識別された前記エラーコードが付加されたメッセージ情報を一覧で表示させる表示制御部と、
を備えたことを特徴とする内視鏡システム。
【請求項２】
前記識別部は、前記操作信号が入力されると前記複数のメッセージ情報に付加されたコードのうち前記エラーコード以外のコードを識別し、
前記表示制御部は、前記複数のメッセージ情報のうち前記エラーコード以外のコードが付加されたメッセージ情報を一覧で表示させることを特徴とする請求項１に記載の内視鏡システム。
【請求項３】
前記表示制御部は、ユーザーにより入力される前記操作信号に応じて、前記エラーコードが付加されたメッセージ情報の一覧と、前記エラーコード以外のコードが付加されたメッセージ情報の一覧と、を切り換えることを特徴とする請求項２に記載の内視鏡システム。
【請求項４】
前記表示制御部は、前記メッセージ生成部により生成された前記複数のメッセージ情報を一覧表示したメッセージリスト情報と、前記メッセージリスト情報から選択されたメッセージ情報とを切り替えて前記表示部に表示することを特徴とする請求項１に記載の内視鏡システム。
【請求項５】
前記表示部に表示された前記メッセージ情報を前記表示部から消去するためのメッセージ情報消去部を更に備え、
前記表示制御部は、前記メッセージ情報消去部により前記メッセージ情報が消去されると、前記メッセージリスト情報を前記表示部に表示することを特徴とする請求項４に記載の内視鏡システム。
【請求項６】
前記表示制御部は、ログイン権限に応じて、一覧表示する前記複数のメッセージ情報を変更することを特徴とする請求項１に記載の内視鏡システム。
【請求項７】
前記装置は、被検体内を撮像する内視鏡が着脱自在に接続されるものであり、
前記識別部は、前記装置内部の異常に加え、前記接続された内視鏡の異常に関するメッセージを識別することを特徴とする請求項１に記載の内視鏡システム。
【請求項８】
前記メッセージリスト情報をファイル化し、外部記憶装置へ出力するメッセージリスト出力部を更に備えたことを特徴とする請求項４に記載の内視鏡システム。
【国際調査報告】
2017073404.tif 000058
2017073404.tif 000059
2017073404.tif 000060
2017073404.tif 000061